【手続補正書】
【提出日】平成22年3月19日(2010.3.19)
【手続補正１】
【補正対象書類名】特許請求の範囲
【補正対象項目名】全文
【補正方法】変更
【補正の内容】
【特許請求の範囲】
【請求項１】
パチンコ機を列設してなる島内に遊技媒体を返却する遊技媒体返却通路において、前記遊技媒体返却通路の出口側の外側に、遊技媒体の落下方向を分散させる、および、遊技媒体の落下速度を低下させる、ための落下制限機構を備え、
前記落下制限機構は、遊技媒体が衝突することにより遊技媒体をリバンドさせて、遊技媒体の落下方向を特定することなく前記落下制限機構の全周方向に分散させ、かつ、遊技媒体の落下速度を低下させることを特徴とする遊技媒体返却通路。
【請求項２】
パチンコ機を列設してなる島内に遊技媒体を返却する遊技媒体返却通路において、前記遊技媒体返却通路の出口側の外側に、遊技媒体の落下方向を分散させる、および、遊技媒体の落下速度を低下させる、ための落下制限機構を備え、
前記落下制限機構は、前記遊技媒体返却通路の下方に垂下させて設けられた棒状体を有し、
前記落下制限機構は、遊技媒体が衝突することにより遊技媒体をリバンドさせて、遊技媒体の落下方向を特定することなく前記棒状体が設けられている方向を除く前記落下制限機構の全周方向に分散させ、かつ、遊技媒体の落下速度を低下させることを特徴とする遊技媒体返却通路。
【請求項３】
前記落下制限機構は、筒状に形成されており、前記遊技媒体が落下する上流端と下流端との間に、前記遊技媒体が通過して前記落下制限機構の外に落下可能とする隙間を有することを特徴とする請求項１または２いずれか記載の遊技媒体返却通路。
【請求項４】
前記落下制限機構は、筒状に形成された下流端側に、前記遊技媒体が通過できない底部を有することを特徴とする請求項３記載の遊技媒体返却通路。
【請求項５】
前記底部は、前記遊技媒体が溜まることができるように下方に凸に形成されていることを特徴とする請求項４記載の遊技媒体返却通路。
【請求項６】
前記落下制限機構は、線状体を螺旋構造に形成してバネ状体としたものであり、前記バネ状体の少なくとも一部が前記遊技媒体を通過可能な線状体間の間隔が開いていることを特徴とする請求項１乃至５いずれか記載の遊技媒体返却通路。
【請求項７】
前記落下制限機構は、前記線状体を内側に渦巻きの如く形成した渦巻き部を、筒状に形成された下流端側に、前記遊技媒体が通過できない底部として有することを特徴とする請求項６記載の遊技媒体返却通路。
【請求項８】
前記線状体間の間隔が、前記バネ状体のバネの延伸方向を落下方向に配置した際には重力作用によって前記線状体間の間隔が延伸することで前記遊技媒体を通過可能な線状体間の間隔が開くことを特徴とする請求項６または７記載の遊技媒体返却通路。
【請求項９】
前記バネ状体のバネの延伸方向が落下方向に対して斜めに設けられていることを特徴とする請求項６乃至８いずれか記載の遊技媒体返却通路。
【請求項１０】
前記バネ状体内における前記遊技媒体の進行を妨げる進行妨害部を備えることを特徴とする請求項６乃至９いずれか記載の遊技媒体返却通路。
【請求項１１】
当該遊技媒体返却通路は、前記パチンコ機から排出された前記遊技媒体を受ける玉受部から流下した遊技媒体を当該遊技媒体返却通路に導く玉通路に接続され、かつ、前記遊技媒体を遊技者側から島内へ流下可能な傾斜を備えた傾斜路であることを特徴とする請求項１乃至１０いずれか記載の遊技媒体返却通路。
【請求項１２】
請求項１乃至１１いずれか記載の遊技媒体返却通路を内在させるかまたは隣接配置可能であり、遊技台に隣接して設けられ、投入された現金または受け付けた記憶媒体に記憶された有価価値特定情報に基づいて遊技媒体を貸し出すための処理をすることを特徴とする遊技媒体返却通路付の台間機。
【請求項１３】
請求項１乃至１１いずれか記載の遊技媒体返却通路を、遊技台に隣接して設けられ、投入された現金または受け付けた記憶媒体に記憶された有価価値特定情報に基づいて遊技媒体を貸し出すための処理をする台間機の下方側に取り付ける工程を有することを特徴とする遊技媒体返却通路の台間機取付方法。
【手続補正２】
【補正対象書類名】明細書
【補正対象項目名】０００５
【補正方法】変更
【補正の内容】
【０００５】
上記課題を解決すべく本発明の遊技媒体返却通路は、パチンコ機を列設してなる島内に遊技媒体を返却する遊技媒体返却通路において、前記遊技媒体返却通路の出口側の外側に、遊技媒体の落下方向を分散させる、および、遊技媒体の落下速度を低下させる、ための落下制限機構を備え、前記落下制限機構は、遊技媒体が衝突することにより遊技媒体をリバンドさせて、遊技媒体の落下方向を特定することなく前記落下制限機構の全周方向に分散させ、かつ、遊技媒体の落下速度を低下させることを特徴とする。
【手続補正３】
【補正対象書類名】明細書
【補正対象項目名】０００８
【補正方法】変更
【補正の内容】
【０００８】
また本発明の遊技媒体返却通路は、さらにパチンコ機を列設してなる島内に遊技媒体を返却する遊技媒体返却通路において、前記遊技媒体返却通路の出口側の外側に、遊技媒体の落下方向を分散させる、および、遊技媒体の落下速度を低下させる、ための落下制限機構を備え、前記落下制限機構は、前記遊技媒体返却通路の下方に垂下させて設けられた棒状体を有し、前記落下制限機構は、遊技媒体が衝突することにより遊技媒体をリバンドさせて、遊技媒体の落下方向を特定することなく前記棒状体が設けられている方向を除く前記落下制限機構の全周方向に分散させ、かつ、遊技媒体の落下速度を低下させることを特徴とする。
【手続補正４】
【補正対象書類名】明細書
【補正対象項目名】０００９
【補正方法】変更
【補正の内容】
【０００９】
この発明によれば、前記落下制限機構は、筒状に形成されており、前記遊技媒体が落下する上流端と下流端との間に、前記遊技媒体が通過して前記落下制限機構の外に落下可能とする隙間を有することを特徴とする。
【手続補正５】
【補正対象書類名】明細書
【補正対象項目名】００１０
【補正方法】変更
【補正の内容】
【００１０】
また本発明の遊技媒体返却通路は、さらに、前記落下制限機構は、筒状に形成された下流端側に、前記遊技媒体が通過できない底部を有することを特徴とする。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】変更
【補正の内容】
【００１２】
また本発明の遊技媒体返却装置は、さらに、前記底部は、前記遊技媒体が溜まることができるように下方に凸に形成されていることを特徴とする。
【手続補正８】
【補正対象書類名】明細書
【補正対象項目名】００１３
【補正方法】削除
【補正の内容】
【手続補正９】
【補正対象書類名】明細書
【補正対象項目名】００１６
【補正方法】変更
【補正の内容】
【００１６】
なおパチンコ玉の直径は約１１ｍｍであるので、遊技媒体を通過可能な線状体間の間隔も１１ｍｍ以上であることが好ましい。
また本発明の遊技媒体返却通路は、さらに、前記落下制限機構は、前記線状体を内側に渦巻きの如く形成した渦巻き部を、筒状に形成された下流端側に、前記遊技媒体が通過できない底部として有することを特徴とする。
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００２２
【補正方法】削除
【補正の内容】
【手続補正１３】
【補正対象書類名】明細書
【補正対象項目名】００２４
【補正方法】変更
【補正の内容】
【００２４】
また本発明の遊技媒体返却通路は、さらに、当該遊技媒体返却通路は、前記パチンコ機から排出された前記遊技媒体を受ける玉受部から流下した遊技媒体を当該遊技媒体返却通路に導く玉通路に接続され、かつ、前記遊技媒体を遊技者側から島内へ流下可能な傾斜を備えた傾斜路であることを特徴とする。
【手続補正１４】
【補正対象書類名】図面
【補正対象項目名】図６
【補正方法】変更
【補正の内容】
【図６】
2009183555.tif 000001